(57)【要約】【課題】本発明は、持ち上げたり転倒させてしまったりするなど、正立状態と異なる姿勢になった場合でも、部品どうしが外れ無い組立式シート製玩具を提供する。【解決手段】組立式シート製玩具１は、本体１１と腕部（揺動片）１２と頭部（揺動片）１３と顔面部（揺動片）１４とを少なくとも備える。本体１１は、シート部材を折り曲げて自立する立体を成し、底部１１１を円弧に形成する。腕部１２と頭部１３と顔面部１４とは、それぞれシート部材で作り、本体１１をどの姿勢にしても脱落しないように本体１１に対して遊嵌させる。【選択図】      図１
0003156825.tif 000002
【実用新案登録請求の範囲】
【請求項１】
シート部材を折り曲げて自立する立体を成し底部が円弧に形成された本体と、
前記本体をどの姿勢にしても脱落しないように前記本体に対して遊嵌されたシート部材で作られた揺動片と
を備える組立式シート製玩具。
【請求項２】
前記本体は、前壁と、左壁と、右壁と、後壁と、前記後壁から一続きに形成されて前記前壁を横切って前方に延びる支持片と、を有し、
前記揺動片は、前記前壁よりも前方に突出した部分の前記支持片に設けられたノッチに遊嵌し、前記支持片の上面に向かって下方に凸の円弧縁を有し、この円弧縁で前記支持片に支持される
ことを特徴とする請求項１に記載の組立式シート製玩具。
【請求項３】
前記本体の底部は、円弧に形成された前記前壁の下縁および前記後壁の下縁によって構成されることを特徴とする請求項２に記載の組立式シート製玩具。
【請求項４】
前記本体は、係合タブと、この係合タブが差し込まれるスリットとを備え、
前記係合タブが前記スリットに差し込まれることによって、前記立体の形状を維持するように組み立てられることを特徴とする請求項１に記載の組立式シート製玩具。
【請求項５】
前記本体を胴部とする人形の場合、
前記揺動片は、左右の腕を一続きに模した腕部、頭の輪郭を模した頭部、顔の表情が描かれた顔面部、のうちの少なくとも一つとして前記支持片に組み付けられる
ことを特徴とする請求項２に記載の組立式シート製玩具。
【請求項６】
前記本体は、前壁と、左壁と、右壁と、後壁と、前記後壁から一続きに形成されて前記前壁を横切って前方に延びる支持片と、を有し、
前記揺動片は、前記前壁と前記後壁との間の部分の前記支持片に設けられたノッチに遊嵌し、前記左壁および前記右壁に開口された挿通部を通して左右に延出し、前記支持片の上面に向かって下方に凸の円弧縁を有し、この円弧縁で前記支持片に支持される
ことを特徴とする請求項１から請求項５のいずれか１項に記載の組立式シート製玩具。
【請求項７】
前記揺動片は、この揺動片が遊嵌される前記支持片よりも下方の範囲に重心を位置させる錘片を一続きに有し、
前記錘片は、前記揺動片の前方から見えない範囲に折り畳まれて固定されている
ことを特徴とする請求項１から請求項６のいずれか１項に記載の組立式シート製玩具。
【請求項８】
シート部材を折り曲げて構成されて少なくとも平坦面上に設置される底部を有して自立する本体と、
シート部材で作られて前記本体をどの姿勢にしても脱落しないように前記本体に設けられた連結部に遊嵌された揺動片と
を備えることを特徴とする組立式シート製玩具。
【請求項９】
前記本体は、複数のシート部材をタブとノッチとスロットと差込とでのみ組み合わせて構成されることを特徴とする請求項１または８に記載の組立式シート製玩具。
【請求項１０】
前記連結部は、少なくとも水平位置よりも上側に切れ込みを有した環状に形成され、
前記揺動片は、前記切れ込みから前記連結部に挿入される穴を有している
ことを特徴とする請求項８に記載の組立式シート製玩具。
【考案の詳細な説明】
【技術分野】
【０００１】
本発明は、シート製の複数の部品を折り曲げたり組み合わせたりして構成される組立式シート製玩具に関する。
【背景技術】
【０００２】
紙を折り曲げたり差し込みまたは張り合わせて固定したりすることで組み立てられる模型玩具が特許文献１に記載されている。特許文献１に記載された揺動玩具は、主体部と頭部と眼板とを備えており、主体部の背面に間隔部材を介して尾部が取り付けられている。また主体部は、下面が弧面に形成されており、揺動する。頭部は、下面が開口する中空に形成されており、内部にステーが架設されている。この頭部は、主体部の頂部に形成された支承部にこのステーで揺動するように乗せられる。目板は、頭部の中のステーに設けられる支承部に吊下げられており、頭部に設けられた眼孔から目視できる。主体部が揺動すると、頭部も揺動し、さらに眼板も揺動する。眼板に描かれた眼の動く状態を眼孔を通して見ることができる。
【先行技術文献】
【特許文献】
【０００３】
【特許文献１】特開昭５６−１４５８７９号公報
【考案の概要】
【考案が解決しようとする課題】
【０００４】
しかしながら、特許文献１に記載された揺動玩具は、組立に際して接着材を必要としている他に、頭部の内部にステーや支承部を架設するなど、眼板を含めた頭部の構造が複雑である。また、特許文献１中に開示されている通り、頭部は、ステーによって支承部に乗っているだけである。そのため、本体を揺動させ過ぎて転倒させてしまった場合や、頭部を掴んで持ち上げた場合、頭部が簡単に外れてしまう。
【０００５】
そこで、持上げたり転倒させてしまったりするなど、正立状態と異なる姿勢になった場合でも、部品どうしが外れ無い組立式シート製玩具を提供する。
【課題を解決するための手段】
【０００６】
本考案の組立式シート製玩具は、本体と揺動片とを少なくとも備える。本体は、シート部材を折り曲げて自立する立体を成し、底部を円弧に形成する。揺動片は、シート部材で作り、本体をどの姿勢にしても脱落しないように本体に対して遊嵌させる。
【０００７】
この場合、本体は、前壁と、左壁と、右壁と、後壁と、支持片とを有する。支持片は、この後壁から一続きに形成されて前壁を横切って前方に延びる。前壁よりも前方に突出した部分の支持片には、ノッチが設けられている。揺動片は、このノッチに遊嵌させる。また、揺動片は、支持片の上面に向かって下方に凸の円弧縁を有し、この円弧縁で支持片に支持される。
【０００８】
本体の底部は、円弧に形成された前壁の下縁および後壁の下縁によって構成する。さらに、本体は、係合タブと、この係合タブが差し込まれるスリットとを備える。そして、係合タブをスリットに差し込むことによって、本体は、立体の形状を維持するように組み立てる。
【０００９】
本体を胴部とする人形の場合、揺動片は、左右の腕を一続きに模した腕部、頭の輪郭を模した頭部、顔の表情が描かれた顔面部、のうちの少なくとも一つとして支持片に組み付ける。
【００１０】
本体の前壁と後壁との間の部分の支持片にノッチを設け、揺動片は、このノッチに遊嵌させても良い。このとき揺動片は、左壁および右壁に開口された挿通部を通して左右に延出させる。
【００１１】
または、揺動片は、この揺動片が遊嵌される支持片よりも下方の範囲に重心を位置させる錘片を一続きに有する。この錘片は、揺動片の前方から見えない範囲に折り畳んで固定する。
【００１２】
本考案の他の形態の組立式シート製玩具は、本体と揺動片とを備える。本体は、シート部材を折り曲げて構成され、少なくとも平坦面上に設置される底部を有して自立する。揺動片は、シート部材で作られ、本体をどの姿勢にしても脱落しないように本体に設けられた連結部に遊嵌される。この場合、本体は、複数のシート部材を係合タブとノッチとスロットと差込とでのみ組み合わせて構成される。この組立式シート製玩具は、接着材を必要としないので、容易に組み立てることができるし、後で破損させることなく分解することもできる。さらに、連結部は、少なくとも水平位置よりも上側に切れ込みを有した環状に形成される。揺動片は、切れ込みから連結部に挿入される穴を有している。
【考案の効果】
【００１３】
本考案に係る組立式シート製玩具は、どのような姿勢にしても本体に対して揺動片が外れないように遊嵌されている。したがって、揺動片の動きを楽しむために組立式シート製玩具を、その本体の下面によって揺動させた場合に転倒しても、本体と揺動片とがばらばらにならない。さらに、組立式シート製玩具を持ち上げて振り回したりしても、揺動片が本体から外れない。
【００１４】
また、組立式シート製玩具は、シート部材を折り曲げ、係合タブをスリットに差し込むことによって本体が組み立てられるので、接着材が不要である。したがって、組立式シート製玩具を、誰もが簡単に組み立てたり分解したりすることができる。また、各部材がシート部材から作られているため、分解すると薄くまとめることができ、雑誌や記録メディア媒体の付録として提供しやすい。
【００１５】
さらに、シート部材として紙を採用することで、組立式シート製玩具が組み上がった状態における外表面となる部分に、図柄などを印刷によって施すことが簡単に行える。また、無地の紙のままでも、利用者が自分の好みの色に着色して楽しむこともできる。
【図面の簡単な説明】
【００１６】
【図１】本考案の第２の実施形態の組立式シート製玩具を示す斜視図。
【図２】図１に示した組立式シート製玩具の分解斜視図。
【図３】図１に示した組立式シート製玩具の頭部の分解斜視図。
【図４】図１に示した組立式シート製玩具の右壁を省略した状態の本体上部の斜視図。
【図５】図１に示した組み立て式シート製玩具が揺動したときの変化を示し、（ａ）は中立状態、（ｂ）は正面から見て左に揺れた状態、（ｃ）は正面から見て右に揺れた状態をそれぞれ示す図。
【図６】本考案の第２の実施形態の組立式シート製玩具を一部切欠いて示す側面図。
【図７】本考案の第３の実施形態の組立式シート製玩具を示す斜視図。
【考案を実施するための形態】
【００１７】
本考案の第１の実施形態の組立式シート製玩具１は、図１から図５を参照して説明する。この明細書において、組立式シート製玩具１は、人形であって、人形の腹側を前、人形の背中側を後、人形の右手側を右、人形の左手側を左、人形の頭部側を上、人形の足元側を下、とそれぞれ設定する。この組立式シート製玩具１は、図１および図２に示すように、本体１１と腕部１２と頭部１３と顔面部１４とを備える。図１および図４に示すように、腕部１２、頭部１３、顔面部１４は、本体１１をどの姿勢にしても脱落しないように本体１１に対して遊嵌される揺動片である。本体１１は、図２に示すように、型抜きされた一続きのシート部材を折り曲げて組み立てられ、図１に示すように自立する立体を成す。腕部１２、頭部１３、顔面部１４も同様に、シート部材から型抜きされたものを適用する。
【００１８】
本体１１の底部１１１は、円弧に形成されている。図５に示すように、本体１１がこの円弧によって揺動することで、揺動片である腕部１２、頭部１３、顔面部１４が揺れ動くので、組立式シート製玩具１に動作や表情が加わり、人形としての愛らしさが増す。
【００１９】
なお、シート部材は、工作に適したやや厚手の紙を採用すると、表面に図柄や色を印刷することができるし、無地のままにしておいても、利用者が好みの色に塗ったり図柄を描いたりすることができるので良い。シート部材の厚みは、組立式シート製玩具１の大きさに応じて適宜選択される。
【００２０】
組立式シート製玩具１についてさらに詳述する。本体１１は、前壁１１Ａと、左壁１１Ｂと、右壁１１Ｃと、２つの後壁１１Ｄ，１１Ｅと、２つの支持片１１Ｆ，１１Ｇとを有している。この本体１１の底部１１１は、組立式シート製玩具１の重心点よりも高い位置を中心とする円弧に形成されている。本実施形態では、円弧に形成された前壁１１ａの下縁および後壁１１Ｄ，１１Ｅの下縁によって底部１１１が構成されており、その結果、本体１１は、左右の方向に揺動する。図４に示すように２つの後壁１１Ｄ，１１Ｅは、互いに重なり合うように設けられている。
【００２１】
本体１１の内側に配置される第１の後壁１１Ｄは、後側に向かって突出するように折り曲げられた係合タブ１１Ｈを有している。係合タブ１１Ｈは、この本体１１の外側に配置される第２の後壁１１Ｅに設けられたスリット１１Ｉに差し込まれる。スリット１１Ｉは、その長さまたは隙間幅が、差し込まれる係合タブ１１Ｈの幅もしくは厚みよりも小さく形成されるので、容易に抜けることは無い。これによって、本体１１は、四角い筒形状に組み立てられて、自立する立体の形状を維持することができる。
【００２２】
２つの支持片１１Ｆ，１１Ｇのうち下側に位置する第１の支持片１１Ｆは、図２に示すように、内側の第１の後壁１１Ｄの一部を切り、前方へ折り起こすことで、この第１の後壁１１Ｄと一続きに形成されている。第１の支持片１１Ｆは、図４に示すように、前壁１１Ａに開けられたスロット１１Ｊに通されることで前壁１１Ａを横切って前方に延びる。第１の支持片１１Ｆは、前壁１１Ａと第１の後壁１１Ｄとの間の部分に、左右の縁から切り込まれた一組のノッチ１１Ｋを有している。
【００２３】
また、図２および図４に示すように、２つの支持片１１Ｆ，１１Ｇのうち上側に位置する第２の支持片１１Ｇは、外側に配置される後壁１１Ｅの上縁から一続きに形成されている。この第２の支持片１１Ｇは、前側に折り曲げられ、前壁１１Ａの上縁に設けられた嵌合部１１Ｌに、中間部分が嵌り込む。第２の支持片１１Ｇを前壁１１Ａに固定する方法は、後壁１１Ｄ，１１Ｅどうしを固定する係合タブ１１Ｈとスリット１１Ｉのようなものであっても良いし、下側に位置する第１の支持片１１Ｆと同様に前壁１１Ａに開けられるスロットに通すようにしても良い。
【００２４】
上側の第２の支持片１１Ｇは、図４に示すように、前壁１１Ａと左壁１１Ｂと右壁１１Ｃと後壁１１Ｄ，１１Ｅとで囲われた本体１１の内面にちょうど接する形状を有しており、本体１１が菱形に扁平するのを防止する補強材の役割も果たす。第１の支持片１１Ｆの上側に配置された第２の支持片１１Ｇは、前壁１１Ａを横切るように前壁１１Ａの嵌合部１１Ｌを越えて前方に延びており、前壁１１Ａよりも突出した範囲に左右の縁から切り込まれた二組のノッチ１１Ｍ，１１Ｎを有している。
【００２５】
腕部１２と頭部１３と顔面部１４とは、図２に示すように、シート部材を単に切り抜いた平坦なままのものである。人形としての細部を造形するために、折り曲げたり別途の造形部材を装着したりしても良いが、揺動片として、シート部材の厚み方向にバランスが取れる範囲に留めておくことが望ましい。
【００２６】
図１および図２に示すように、腕部１２は、組立式シート製玩具１の左右の腕を一続きに模して作られた揺動片であって、中央部から延びた左腕１２Ａおよび右腕１２Ｂを有している。中央部には、第１の支持片１１Ｆのノッチ１１Ｋに遊嵌する十分な大きさの窓１２Ｃが開口されている。この窓１２Ｃは、腕部１２の重心よりも高い位置に設けられ、第１の支持片１１Ｆの上面に向かって下方に凸の上側円弧縁１２Ｄと、第１の支持片１１Ｆの下面に向かって上方に凸の下側円弧縁１２Ｅとを有している。
【００２７】
また、左右横幅方向に窓１２Ｃの開口幅は、第１の支持片１１Ｆの幅よりも狭い。したがって、腕部１２を図４に示されるように、第１の支持片１１Ｆのノッチ１１Ｋに遊嵌させる場合、ノッチ１１Ｋが設けられているところまで、第１の支持片１１Ｆを窓１２Ｃに通せるように、第１の支持片１１Ｆの一部を折り曲げる。そして、腕部１２を第１の支持片１１Ｆに遊嵌させたあと、折り曲げた部分を図４に示すように元に戻す。これによって、腕部１２は、本体１１をどの姿勢にしても脱落しないように遊嵌されることとなる。第１の支持片１１Ｆのノッチ１１Ｋに遊嵌された腕部１２は、第１の支持片１１Ｆの上面に対して上側円弧縁１２Ｄによって支持された状態になる。
【００２８】
特に、第１の実施形態の組立式シート製玩具１は、揺動片である腕部１２を本体１１の中で支持し、それぞれ左壁１１Ｂおよび右壁１１Ｃに開口された挿通部１１Ｘ，１１Ｙを通して左腕１２Ａおよび右腕１２Ｂを両側に延出させている。図４に示すように、支持片１１Ｆは、前壁１１Ａと後壁１１Ｄとの間の部分にノッチ１１Ｋを有してる。腕部１２は、このノッチ１１Ｋに遊嵌している。したがって、図１２に示すように、腕部１２は、本体１１を組み立てる途中で支持片１１Ｆを前壁１１Ａに形成されたスロット１１Ｊに通す前に、支持片１１Ｆに装着され、さらに左腕１２Ａを左壁１１Ｂに設けられた挿通部１１Ｘに、右腕１２Ｂを右壁１１Ｃに設けられた挿通部１１Ｙに、それぞれ通される。挿通部１１Ｘ，１１Ｙは、腕部１２が前後左右に揺動する場合に腕部１２と干渉しない十分な大きさに開口されている。
【００２９】
図１に示すように頭部１３は、この組立式シート製玩具１の頭の輪郭を模して作られた揺動片であって、腕部１２よりも前に配置される。この結果、図１や図５に示すように、腕部１２と第１の支持片１１Ｆとの遊嵌部はこの頭部１３によって覆い隠される。頭部１３は、第２の支持片１１Ｇの後寄りのノッチ１１Ｍに遊嵌される十分な大きさの窓１３Ａが開口されている。
【００３０】
この窓１３Ａは、第２の支持片１１Ｇの上面に向かって下方に凸の上側円弧縁１３Ｂと、第２の支持片１１Ｇの下面に向かって上方に凸の下側円弧縁１３Ｃとを有している。そして、左右横幅方向に頭部１３の窓１３Ａの開口幅は、腕部１２の窓１２Ｃと同様に、図４に示すように第２の支持片１１Ｇの幅よりも狭い。したがって、頭部１３を第２の支持片１１Ｇのノッチ１１Ｍに遊嵌させる場合、後側のノッチ１１Ｍが設けられているところまで、頭部１３の窓１３Ａを通せるように、第２の支持片１１Ｇの一部を折り曲げる。
【００３１】
頭部１３を第２の支持片１１Ｇの後側のノッチ１１Ｍに遊嵌させたあと、折り曲げた部分を元に戻す。この結果、頭部１３は、本体１１をどの姿勢にしても脱落しないように本体１１に対して遊嵌された状態となる。そしてこの頭部１３は、第２の支持片１１Ｇの上面に対して、窓の上側円弧縁１３Ｂによって支持された状態となる。
【００３２】
この実施形態の組立式シート製玩具１は、さらに図２から図４に示すように頭部１３に２つの錘片１３Ｄ，１３Ｅを有している。錘片１３Ｄ，１３Ｅは、揺動片である頭部１３の重心を、頭部１３が遊嵌されている支持片１１Ｇよりも下方の範囲に位置させる。つまり、錘片１３Ｄ，１３Ｅは、重心位置を下げるために必要な数だけ設けられるものであって２つに限定されない。したがって、錘片は、１つでもよいし、３つ以上でもよい。
【００３３】
これらの錘片１３Ｄ，１３Ｅは、図２および図３に示すように、頭部１３の下縁から一続きにつながっている。そして、これらの錘片１３Ｄ，１３Ｅは、図１および図４に示すように前方から見えない範囲に、巻き込むように折り畳まれて固定されている。このとき最も外側になる錘片１３Ｄは、掛止タブ１３Ｆを備えている。図３に示すように掛止タブ１３Ｆは、顔面部１４に隠れる範囲に設けられた掛止スロット１３Ｇに差し込まれる。掛止タブ１３Ｆを頭部１３のどこかに設け、錘片１３Ｄ，１３Ｅを保持できるようにしても良い。
【００３４】
また、図４に示すように、頭部１３は、第１の支持片１１Ｆの前端に背面が当接している。したがって、頭部１３は、その面内方向に沿って左右に揺動するが、面外方向の前後方向には揺動しないように動きが制限される。この場合図４に示すように、本体１１の前壁１１Ａから突出する支持片１１Ｆの端部は、円弧に形成されている。このように形成されていることによって、頭部１３が支持片１１Ｆの端部に当接した状態でも、頭部１３が上側円弧縁１３Ｂを支点に揺動しやすくなる。
【００３５】
以上のように構成された組立式シート製玩具１は、頭部１３に錘片１３Ｄ，１３Ｅを備えているので、揺動片である頭部１３の形状が見かけ上、上半分が大きくアンバランスな場合でも、揺動支点となる支持片１１Ｇと上側円弧縁１３Ｂとの接点よりも下に重心が位置していることによって、どちらかに傾いてしまったままになるなどの不都合が生じることなく、頭部１３が安定する。また、腕部１２が本体１１の中で支持されている。これにより、組立式シート製玩具１の全体的な重心の位置が本体１１の中心に近づく。さらに、腕部１２を本体の中で支持するようにしたので、頭部１３および顔面部１４を本体に近づけることもできる。その結果、組立式シート製玩具１は、揺動させられたときの安定性が向上する。
【００３６】
顔面部１４は、人形の顔の表情が描かれる揺動片であって、図１および図４に示すように、頭部１３の前に配置され、第２の支持片１１Ｇの前寄りのノッチ１１Ｎに遊嵌される十分な大きさの窓１４Ａが開口されている。この窓１４Ａは、顔面部１４の重心よりも高い位置に設けられている。図１に示すように、窓１４Ａの開口面積は、前寄りのノッチ１１Ｎが設けられた部分の第２の支持片１１Ｇの断面積よりも一回り大きい程度に設けられている。したがって、窓１４Ａの横幅方向の長さは、第２の支持片１１Ｇの横幅方向の幅よりもはるかに短い。
【００３７】
顔面部１４を第２の支持片１１Ｇに遊嵌させる場合、前寄りのノッチ１１Ｎが設けられたところまで顔面部１４の窓１４Ａを通せるように、第２の支持片１１Ｇの一部を折り曲げる。顔面部１４が前寄りのノッチ１１Ｎに遊嵌されたあと、折り曲げた第２の支持片１１Ｇの一部は、本体１１をどんな姿勢にしても顔面部１４が外れない程度に係合できれば良い。したがって、もとどおりに戻さずに、顔面部１４の表情を形成する一部として、図１および図４に示すように、曲げられた状態であっても良い。
【００３８】
以上のように構成された組立式シート製玩具１は、平らなところにおいた場合、前壁１１Ａよりも前方に突出した第１の支持片１１Ｆにおける前壁１１Ａと後壁１１Ｄとの間の部分のノッチ１１Ｋに遊嵌させた腕部１２、第２の支持片１１Ｇに遊嵌させた頭部１３および顔面部１４の重量によって本体１１が前方に倒れないように、本体１１がわずかに後方に傾倒するように底部１１１の高さが調整されている。
【００３９】
この組立式シート製玩具１は、図５に示すように、底部１１１の円弧形状に沿って本体１１を揺動させると、これに伴って腕部１２、頭部１３、顔面部１４が、それぞれ異なる動きを示す。腕部１２は、上側円弧縁１２Ｄを支点に前後に揺動するとともに、第１の支持片１１Ｆの上面に上側円弧縁１２Ｄを転接させながら左右に揺動することができる。つまり、腕部１２は、前後左右に揺れ動く。
【００４０】
頭部１３は、腕部１２の窓１２Ｃと同じ形状の窓１３Ａを備えている。したがって、図５に示すように腕部１２が左右に揺動するのと同様に、頭部１３は、上側円弧縁１３Ｂを第２の支持片１１Ｇの上面に転接させながら左右によ揺動する。そして、背面が第２の支持片１１Ｇの先端に当接しているので、頭部１３は、腕部１２のような前後方向の揺動が抑制される。ただし、組立式シート製玩具１を手に取って揺すった場合、背面が第２の支持片１１Ｇから離れる方向に頭部１３は揺動する。
【００４１】
顔面部１４の窓１４Ａの形状は、腕部１２および頭部１３の窓と異なっており、図１や図２に示すように第２の支持片１１Ｇのノッチ１１Ｎを通る断面形状より一回り大きい程度である。したがって、本体１１が左右に揺動した場合、腕部１２や頭部１３のように左右に揺動することなく、前後にのみ揺動する。
【００４２】
この組立式シート製玩具１は、上述のように腕部１２、頭部１３、顔面部１４の動きがそれぞれ異なるので、図５に示すように左右に揺動する場合に、組立式シート製玩具１の人形としての表情が豊かになる。
【００４３】
例えば、図５の（ａ）において頭部１３と顔面部１４の輪郭線の間隔は左右ほぼ同じであるのに対して、図５の（ｂ）では頭部１３と顔面部１４の輪郭線の間隔が正面から見て右側（人形にとって左側）が狭くなっているため、人形があたかもやや左を向いているような錯覚が起きる。また、図５の（ｃ）において頭部１３と顔面部１４の輪郭線の間隔は、正面から見て左側（人形にとって右側）が狭くなっているため、人形があたかもやや右を向いているように見える。また、頭部１３が揺動することに伴ってその背後の腕部１２の左腕１２Ａと右腕１２Ｂの見える長さが変化するため、人形の顔の表情が変化しているように感じるのと同様に、人形の動作もまた実際の動きによる変化以上の動きがあるように感じる。
【００４４】
そして、この組立式シート製玩具１による人形は、本体１１がどのような姿勢になっても、揺動片である腕部１２、頭部１３、顔面部１４の各部材が本体１１から外れないので、手に取って各部の動きを楽しむこともできる。つまり小さな子供が手に持って遊んだ場合に、この組立式シート製玩具１による人形は、腕部１２や頭部１３が簡単に外れてしまわ無いため、知育にも良い。
【００４５】
なお、本実施形態の組立式シート製玩具１は、本体１１の前壁１１Ａおよび後壁１１Ｄ，１１Ｅの下縁が円弧に形成されて底部１１１を構成していることで、前壁１１Ａ側から見て左右に揺動する。前壁１１Ａおよび後壁１１Ｄ，１１Ｅの代わりに、左壁１１Ｂおよび右壁１１Ｃの下縁を円弧に形成することで底部１１１を構成すると、組立式シート製玩具１は、前後に揺動する。揺動する方向が異なるだけでなく揺動片の動きも異なるシート製玩具を提供することができる。
【００４６】
本考案の第２の実施形態の組立式シート製玩具１は、図６を参照して説明する。図６は、組立式シート製玩具１を左壁１１Ｂ側から見た状態であり、各部品の係合部や繋がりが分かるように、一部切り欠いて断面を示している。第１の実施形態の組立式シート製玩具１と同じ機能を有する構成は、各図中で第１の実施形態の組立式シート製玩具１と同一の符号を付し、その説明を省略する。図６に示す組立式シート製玩具１は、揺動片である腕部１２を前壁１１Ａ寄りも前方に突出した支持片１１Ｆに左右幅方向から切り欠かれたノッチ１１Ｋ装着している。
【００４７】
つまり、揺動片である腕部１２、頭部１３、顔面部１４のすべてが本体１１の前壁１１Ａよりも前方で支持されている。したがって、腕部１２、頭部１３、顔面部１４は、いずれも第１の支持片１１Ｆおよび第２の支持片１１Ｇが本体１１の一部として組み上がった後、第１の支持片１１Ｆおよび第２の支持片に装着されるので、組み立てが楽に行える。
【００４８】
本考案の第３の実施形態の組立式シート製玩具１は、図７を参照して説明する。第１の実施形態の組立式シート製玩具１と同じ機能を有する構成は、各図中で第１の実施形態の組立式シート製玩具１と同一の符号を付し、その説明を省略する。この組立式シート製玩具１は、恐竜の骨格模型を模して作られている。この組立式シート製玩具１は、本体１１と揺動片とを備えている。
【００４９】
本体１１は、シート部材を折り曲げたものを複数個組み合わせて構成されている。この本体１１は、少なくとも平坦面上に設置される底部１１２を有しており、自立する。本体１１は、頭部１１Ｒ、脊椎部１１Ｓ、脚部１１Ｔ、尾部１１Ｕ、台座１１Ｖを備えている。なお、脊椎部１１Ｓと脚部１１Ｔは、一続きのシート部材から作られている。また、複数の肋骨１５が互いに設けられたスリットを差し込み合うことによって脊椎部１１Ｓに取り付けられている。
【００５０】
頭部１１Ｒは、後壁１１Ｒ１に設けられたスリット１１Ｒ２に、脊椎部１１Ｓに設けられた取付タブ１１Ｓ１を差し込むことによって脊椎部１１Ｓに固定されている。尾部１１Ｕは、尾部１１Ｕに設けられた取付タブ１１Ｕ１を脚部１１Ｔと脊椎部１１Ｓとのつながり部分、いわゆる腰に相当する部分に設けられたスリット１１Ｓ２に差し込み、脊椎部１１Ｓの延長として取り付けられている。
【００５１】
なお、各部品を切り出すシート製部材の大きさによっては、脊椎部１１Ｓ、脚部１１Ｔ、尾部１１Ｕまで一枚のシートから作られていてもよい。脚部１１Ｔは、台座１１Ｖと互いに取付タブ１１Ｔ１，１１Ｖ１によって連結されている。
【００５２】
頭部１１Ｒは、図７に示すように後壁１１Ｒ１に連結部１１Ｒ３を有している。この連結部１１Ｒ２は、少なくとも水平位置よりも上側に入れ込み１１Ｒ４を有した環状に形成されている。
【００５３】
この第３の実施形態において、図７に示すように、揺動片は、腕部１２と顎部１６である。腕部１２は、脊椎部１１Ｓに装着された肋骨１５に設けられた係止突起１５１にそれぞれ右腕、左腕として遊嵌している。なお、図７において右腕は、顎部１６によって隠れており、見えていない。この腕部１２は、それぞれ、上腕部１２１と前腕部１２２とで構成され、これらも互い遊嵌している。
【００５４】
また、顎部１６は、頭部１１Ｒに設けられた連結部１１Ｒ３に切れ込み１１Ｒ４から挿入される穴１６１を左右に１つずつ有している。なお、図７において顎部１６の左側の穴１６１は、頭部１１Ｒによって隠れているので見えない。
【００５５】
以上のように構成された組立式シート製玩具１は、手で触れたり風に吹かれると、顎部１６および腕部１２がゆらゆらと揺動する。特に、顎部１６は、連結部１１Ｒ３と穴１６１とが交差するようにシート部材の厚みのみで接しているため、釣り合い人形のように滑らかに動く。この組立式シート製玩具１は、すべての部品が互いに取付タブとスリットなど、接着材を使用しない構造によって連結固定されており、また、揺動片である腕部１２および顎部１６も本体１１に対して、本体１１をどの姿勢にしても脱落しないように連結部１１Ｒ３に遊嵌されている。
【００５６】
したがって、平坦なところにすえておくだけでなく、手に取って遊ぶこともできる。その際、この組立式シート製玩具１を持ち上げて振り回しても、各部品がばらばらに外れることが無いので、知育にもよい。なお、脊椎部１１Ｓに肋骨１５を装着するために複数のノッチが設けられている。これによって、脊椎部１１Ｓが捻れやすいため、顎部１６ごと頭部１１Ｒを左右に振るなど、より様々な動きを楽しむことができる。
【符号の説明】
【００５７】
１…組立式シート製玩具、１１…本体、１１１…底部、１１Ａ…前壁、１１Ｂ…左壁、１１Ｃ…右壁、１１Ｄ，１１Ｅ…後壁、１１Ｆ，１１Ｇ…支持片、１１Ｈ…係合タブ、１１Ｉ…スリット、１１Ｘ，１１Ｙ…挿通部、１２…腕部（揺動片）、１２Ｄ…上側円弧縁、１３…頭部（揺動片）、１３Ｄ，１３Ｅ…錘片、１４…顔面部（揺動片）、１６…顎部（揺動片）。
【図１】
0003156825.tif 000003
【図２】
0003156825.tif 000004
【図３】
0003156825.tif 000005
【図４】
0003156825.tif 000006
【図５】
0003156825.tif 000007
【図６】
0003156825.tif 000008
【図７】
0003156825.tif 000009